(57)【特許請求の範囲】
【請求項１】
エンドスラットと該エンドスラットの上の次段スラットとを、シャッターの全閉時には吊下状態より両者間のクリアランスが小さくまたは無くなるように相対的に上下動自在に結合し、
前記エンドスラットにロック装置を設けると共に、シャッター下枠にロック受を設け、
前記ロック装置は、エンドスラットに取付けられるロック本体と、前記エンドスラットと次段スラットとのクリアランスに連動してエンドスラットに対して相対的に上下動されるリンク部材と、前記ロック本体に回動自在に取付けられ、かつ前記リンク部材に連係される係合部材とからなり、
前記ロック本体と前記係合部材との間に、該係合部材を前記ロック受に係合する方向に付勢するばねを設け、
前記リンク部材はその下部を前記係合部材に回動自在に結合し、上部の係止部を前記次段スラットに摺動自在に係止させ、
シャッターが閉じることにより、次段スラットがエンドスラットに対して相対的に下方に移動し、この次段スラットの下方への移動により、前記ばねの力で前記係合部材が回動すると同時に、該係合部材に結合されている前記リンク部材がエンドスラットに対して下方に動き、前記係合部材が前記ロック受に係合され、
シャッター全閉状態から次段スラットがエンドスラットに対して相対的に上方に移動することにより、前記次段スラットに係止されているリンク部材が上方に動いて前記係合部材が前記と反対方向に回動して該係合部材と前記ロック受との係合が解除される
ことを特徴とするシャッターのロック装置。
【請求項２】
請求項１において、
前記ロック本体は、前記エンドスラットに左右方向に取付け位置調整自在であり、前記リンク部材は次段スラットの左右方向に摺動自在に係合される
ことを特徴とするシャッターのロック装置。
【請求項３】
請求項１または２において、
前記リンク部材は、前記次段スラットの立上片に被せられる曲成された前記係止部を持ち、該係止部の先端が次段スラットの底板部の上面に当接する
ことを特徴とするシャッターのロック装置。
【請求項４】
請求項１から３までのいずれかにおいて、
前記リンク部材は、前記エンドスラットの見付け面と前記次段スラットの見付け面とのなす角の変化に応じて前記係合部材に対して室内外方向に首振り可能である  ことを特徴とするシャッターのロック装置。
【請求項５】
請求項１から４までのいずれかにおいて、
前記ロック装置に、前記ロック部材を直接または間接に固定することにより該ロック部材の前記ロック受に対する係合状態を保持する手段を備えた
ことを特徴とするシャッターのロック装置。
【発明の詳細な説明】
【０００１】
【発明の属する技術分野】
本発明は、シャッターに係り、特に外部からの開放を防止するための構成に関する。
【０００２】
【従来の技術】
シャッターを全閉状態においてロックすることにより、外側からは開放を困難にしたシャッターとして、実開平２−１４７５９６号には、エンドスラットとその上の次段スラットとを、シャッターの全閉時には吊下状態より両者間のクリアランスが小さくなるように相対的に上下動自在に結合し、エンドスラットと次段スラットとの間に、全閉時にガイドレール側に突出するラッチ体を設け、ガイドレールにラッチ受けを設けることにより、全閉時にはシャッターがロックされる構造としたものが開示されている。
【０００３】
【発明が解決しようとする課題】
しかしながら、前述のように、エンドスラットと次段スラットとの間のクリアランスが小さくまたは無くなるときにはラッチ体がガイドレール側に突出してガイドレールに設けた係止部に係止される構成であると、電動式シャッターの場合に、停電時に室内側から次段スラットを持ちあげて次段スラットとエンドスラットとのクリアランスを大きくし、これによりラッチ体をガイドレールの係止部から外してシャッターを開こうとした場合、通常は次段スラットの中間部を持ちあげるため、次段スラットの撓みにより、次段スラットの中間部は持ち上がるが、両端部の上げ量が小さくなり、このため、シャッターの両端部における次段スラットとエンドスラットとの間のクリアランスが大きくならず、前記ラッチ体がガイドレールの係止部から外れず、シャッターを開くことができなくなるという問題点がある。
【０００４】
本発明は、前記問題点に鑑み、次段スラットとエンドスラットとのクリアランスを利用した施錠、解錠操作が確実に行えるシャッターのロック装置を提供することを目的とする。
【０００５】
【課題を解決するための手段】
請求項１のシャッターのロック装置は、エンドスラットと該エンドスラットの上の次段スラットとを、シャッターの全閉時には吊下状態より両者間のクリアランスが小さくまたは無くなるように相対的に上下動自在に結合し、
前記エンドスラットにロック装置を設けると共に、シャッター下枠にロック受を設け、
前記ロック装置は、エンドスラットと該エンドスラットの上の次段スラットとを、シャッターの全閉時には吊下状態より両者間のクリアランスが小さくまたは無くなるように相対的に上下動自在に結合し、
前記エンドスラットにロック装置を設けると共に、シャッター下枠にロック受を設け、
前記ロック装置は、エンドスラットに取付けられるロック本体と、前記エンドスラットと次段スラットとのクリアランスに連動してエンドスラットに対して相対的に上下動されるリンク部材と、前記ロック本体に回動自在に取付けられ、かつ前記リンク部材に連係される係合部材とからなり、
前記ロック本体と前記係合部材との間に、該係合部材を前記ロック受に係合する方向に付勢するばねを設け、
前記リンク部材はその下部を前記係合部材に回動自在に結合し、上部の係止部を前記次段スラットに摺動自在に係止させ、
シャッターが閉じることにより、次段スラットがエンドスラットに対して相対的に下方に移動し、この次段スラットの下方への移動により、前記ばねの力で前記係合部材が回動すると同時に、該係合部材に結合されている前記リンク部材がエンドスラットに対して下方に動き、前記係合部材が前記ロック受に係合され、
シャッター全閉状態から次段スラットがエンドスラットに対して相対的に上方に移動することにより、前記次段スラットに係止されているリンク部材が上方に動いて前記係合部材が前記と反対方向に回動して該係合部材と前記ロック受との係合が解除される
ことを特徴とする。
【０００６】
このように、エンドスラットと次段スラットとのクリアランスが小さくまたは無くなるとエンドスラット側の係合部材がシャッター下枠に設けたロック受に係合する構成とすれば、シャッター持ち上げ時における次段スラットの持ち上げ部分と施錠位置との間のクリアランスの差が小さくまたは無くなり、クリアランスの変化量を係合部材の変位量に有効に利用できる。
【０００７】
また、係合部材の枢着点に対するリンク部材の連結点を近接させることにより、係合部材のロック受に対する係合部の変位量を大きく設定することができる。このような理由により、施錠、解錠が確実に行える。
【０００８】
請求項２のシャッターのロック装置は、請求項１において、
前記ロック本体は、前記エンドスラットに左右方向に取付け位置調整自在であり、前記リンク部材は次段スラットの左右方向に摺動自在に係合する
ことを特徴とする。
【０００９】
このように、ロック本体の位置を調整可能とし、リンク部材は次段スラットに左右方向に摺動自在に係合させることにより、ロック受に対してロック装置を最適位置に取付けることができる。
【００１０】
請求項３のシャッターのロック装置は、請求項１または２において、
前記リンク部材は、前記次段スラットの立上片に被せられる曲成された前記係止部を持ち、該係止部の先端が次段スラットの底板部の上面に当接する
ことを特徴とする。
【００１１】
このような構成とすれば、曲成された係止部により、該係止部と次段スラットとの当接部が室内側から見えないため、当接部の傷がみえず、外観を良好にすることができる。
【００１２】
請求項４のシャッターのロック装置は、請求項１から３までのいずれかにおいて、
前記リンク部材は、前記エンドスラットの見付け面と前記次段スラットの見付け面とのなす角の変化に応じて係合部材に対して室内外方向に首振り可能である  ことを特徴とする。
【００１３】
このように、リンク部材を室内外方向に首振り可能に取付けることにより、エンドスラットの見付け面と次段スラットの見付け面とでなす角度が変化してもリンク部材はこの角度の変化に追従できる。
【００１４】
請求項５のシャッターのロック装置は、請求項１から４までのいずれかにおいて、
前記ロック装置に、前記係合部材を直接または間接に固定することにより該係合部材の前記ロック受に対する係合状態を保持する手段を備えた
ことを特徴とする。
【００１５】
このような係合状態を保持する手段を備えることにより、次段スラットがエンドスラットに対して相対的に上方に移動しようとしても、係合部材が固定されてロック受との係合状態を保持するので、防犯性がよい。
【００１６】
【発明の実施の形態】
図１は本発明によるシャッターのロック装置の一実施の形態の取付け位置を示すもので、シャッターを室外から見た図である。図１において、１はシャッターのケースであり、該ケース１は、シャッターを設ける建物の開口部の上部に設置される。２は左右のガイドレールであり、該ガイドレールはサッシ縦枠（図示せず）の屋外側に設けられる。３はシャッター下枠である。４はケース１内の電動機により巻胴に巻かれるスラットであり、該スラット４は左右のガイドレール２にガイドされる。５はスラット４のうち、最下端のエンドスラット、６はその上の次段スラットである。７は前記エンドスラット５と次段スラット６との間のクリアランスの大小を利用して自動施錠と解錠を行うロック装置である。
【００１７】
図２はエンドスラット５と次段スラット６との組み合わせ構造を示す側面図である。図示のように、エンドスラット５の上部に形成された断面Ｔ字形吊下部５ａが次段スラット６の下部の溝部６ａに上下動自在に嵌合されることにより、エンドスラット５と次段スラット６とは、ΔＨの範囲において上下動自在である。シャッターが開いている状態では、エンドスラット５はその自重により、二点鎖線で示す次段スラット６の状態、すなわち吊下部５ａが溝部６ａの下に下がった状態で吊り下げられるが、全閉時には、実線で示すように、次段スラット６とエンドスラット５とのクリアランスは無くなるかあるいは小（ΔＨ≒０）となる。
【００１８】
下枠３上には、エンドスラット５の室内側の面に対向するように、取付金具８によりピン状のロック受９が取付けられる。本例においては、該ロック受９は、前記ロック装置７に対応して、シャッターのほぼ中央部に設けられている。
【００１９】
図３（Ａ）はエンドスラット５にロック装置７を取付けた状態を示す側面図、図３（Ｂ）は後述の係合部材１２に対するリンク部材１３の取付け構造を示す側面図である。図４（Ａ）はロック装置７を非施錠状態において室内側から見た図、図４（Ｂ）はその底面図である。図５（Ａ）はロック装置７を施錠状態において室内側から見た図、図５（Ｂ）はその側面図である。
【００２０】
図３ないし図５において、１０はベース、１１はサブベースでありこれらによりロック本体１８を構成する。１２は前記ロック受９に係合されて自動施錠を行う係合部材、１３は該係合部材１２を前記エンドスラット５と次段スラット６とのクリアランスの大小によりロック受９との係合位置、非係合位置に動かすリンク部材、１４は係合部材１２をロック受９との施錠位置に固定しておくことにより、施錠状態に保持する手段として設けられたレバーである。
【００２１】
前記ベース１０やサブベース１１は金属板の打ち抜き折り曲げ加工により製造されるもので、それぞれ室内側から見た場合、図６（Ａ）、（Ｂ）に示すような構造を有する。すなわちベース１０の図面上右部の上下には、図２、図３に示したエンドスラット５の室内側の上下の立下片５ｂ、立上片５ｃに摺動可能に嵌合する溝部１０ａを有し、図６（Ａ）、（Ｂ）の図面上左部には取付け孔１０ｂを有する。また、前記ロック受９を嵌め込む溝１０ｃを下辺に設けている。
【００２２】
また、ベース１０の板面には、前記係合部材１２の枢着ピン１７（図４（Ａ）、（Ｂ）参照）の取付け孔１０ｄと、前記レバー１４の枢着ピン１９（図４（Ａ）、（Ｂ）参照）の取付け孔１０ｅを有する。１０ｆは図７（Ａ）に示すリンク部材１３の垂直姿勢を維持するため、リンク部材１３のガイド溝１３ａに摺動自在に嵌めるガイド片であり、１０ｇは前記係合部材１２の受片、１０ｈは前記レバー１４の受片である。
【００２３】
前記サブベース１１は、図６（Ｂ）に示すように、前記係合部材１２、レバー１４の前記各枢着ピン１７、１９を挿着する取付け孔１１ａ、１１ｂと、ロック受９を嵌め込む溝１１ｃと、前記係合部材１２をロック受９との係合位置に回動させる方向に付勢する引張ばね１５（図４（Ａ）、（Ｂ）参照）の接続部１１ｄと、前記レバー１４を係合部材１２との係合位置と非係合位置においてそれぞれ安定的に保持するばね１６（図４（Ａ）、（Ｂ）参照）の取付け孔１１ｅを有する。
【００２４】
また、前記係合部材１２には、図７（Ｂ）に示すように、前記ベース１０とサブベース１１に取付ける枢着ピン１７を挿着する孔１２ａと、前記リンク部材１３を取付けるピン２０（図４（Ａ）、（Ｂ）参照）を挿着する孔１２ｂを有する。１２ｃは前記ロック受９に係合させる係合部である。１２ｄは前記引張ばね１５の接続部である。
【００２５】
前記リンク部材１３は、図７（Ａ）に示すように、前記ガイド溝１３ａの下部に、前記係合部材１２に取付けるためのピン２０を挿着する孔１３ｂを有する。また、該リンク部材１３の上端には、次段スラット６のエンドスラット５とのクリアランスの大小に応じて係合部材１２を連動させるために、次段スラット６に係止する係止部１３ｃを有する。該係止部１３ｃは、図３（Ａ）に示すように次段スラット６の立上片６ｃに被せられ、該係止部１３ｃの先端が次段スラット６の底面６ｄに当接する。
【００２６】
図７（Ｃ）に示すように、前記レバー１４は、ベース１０およびサブベース１１に取付ける枢着ピン１９（図４（Ａ）、（Ｂ）参照）を挿着する孔１４ａと、前記係合部材１２との係合部１４ｂと、前記ばね１６の取付け孔１４ｃを有する。レバー１４の上部には合成樹脂製のつまみ１４ｄを設けている。
【００２７】
図４（Ａ）、（Ｂ）に示すように、ベース１０とサブベース１１とは、図６（Ａ）、（Ｂ）に示した取付け孔１０ｄ、１１ａに挿着してかしめ付けする枢着ピン１７と、取付け孔１０ｅ、１１ｂに挿着してかしめ付けする枢着ピン１９とにより結合される。これらの枢着ピン１７、１９には、それぞれ係合部材１２の孔１２ａ、レバー１４の孔１４ａが回動自在に嵌合される。係合部材１２とサブベース１１との間には、引張ばね１５が、その両端をそれぞれ接続部１２ｄ、１１ｄに接続して取付けられる。
【００２８】
図３（Ｂ）に示すように、前記リンク部材１３は、係合部材１２に対し、ピン２０により回動自在に結合されると共に、リンク部材１３とピン２０の頭部との間に円錐形のワッシャ２１を２個重ねて介在させることにより、矢印２４の方向、すなわち室内外方向に可動に取付け、これにより、エンドスラット５の見付け面に対する次段スラット６の見付け面の角度が変化してもリンク部材１３が室内外に傾動して追従できるように構成している。図３（Ａ）に示すように、リンク部材１３の上部の係止部１３ｃは、次段スラット６の立上片６に被せられ、係止部１３ｃの先端は、前記引張ばね１５の力により、次段スラット６の底板部の上面６ｄに当接する。
【００２９】
前記レバー１４は、その孔１４ａを前記枢着ピン２０に回動自在に嵌合して取付けられる。該レバー１４とサブベース１１との間にはばね１６が、その一端をレバー１４の取付け孔１４ｃに接続し、他端をサブベース１１の取付け孔１１ｅに接続して取付けられる。ばね１６は、レバー１４を施錠位置にすれば、枢着ピン１９を中心として反時計まわりにレバー１４を付勢し、非施錠位置にすれば、逆の方向へ付勢する。これにより、外部からの異常な力に対してレバー１４が回動することを防止している。
【００３０】
このロック装置７は、その本体１８を構成するベース１０の一端の上下に設けた溝１０ａを図２に示したエンドスラット５の上下の片５ｂ、５ｃに嵌め、図３（Ａ）に示すように、前記エンドスラット５の上下の片５ｂ、５ｃを裏板２２とベース１０の他端との間で挟持し、ベース１０の取付け孔１０ｂにねじ２３を挿通して裏板２２のねじ孔にねじ込むことにより、ベース１０の溝１０ｃとサブベース１１の溝１１ｃとがロック受９の位置に合うように、エンドスラット５の長手方向に位置調整自在に固定して取付けられる。位置調整においては、リンク部材１３の係止部１３ｃの先端は、次段スラット６の底板部の上面６ｄ上を摺動自在であるため、位置調整の妨げとならない。
【００３１】
この構成において、シャッターを閉じる時、エンドスラット５が下枠３に着地する前は、エンドスラット５と次段スラット６との間にはクリアランスΔＨが存在する。この時、リンク部材１３の係止部１３ｃは立上片６ｃに係止され、引き上げられた状態であるため、係合部材１２はリンク部材１３を介して引き上げられ、係合部材１２の係合部１２ｃは溝１０ｃ、１１ｃの位置から退避した位置にある。
【００３２】
エンドスラット５が下枠３に着地する直前には、ロック受９にベース１０、サブベース１１の溝１０ｃ、１１ｃが嵌まり、同時に、次段スラット６とエンドスラット５との間のクリアランスが小さくなるので、引張ばね１５の力により係合部材１２が回動し、図５（Ａ）に示すように係合部１２ｃがロック受９の下に潜る。したがって自動的に施錠される。電動機使用のシャッターの場合、昇降用スイッチを操作しない場合には自動的にブレーキが作用しているから、シャッターを開くことができない。また、停電の際に、このままの状態でも外側からエンドスラット５の把手部５ｄを持って持ち上げようとしても、エンドスラット５と次段スラット６との間のクリアランスを大きくすることはできないから、係合部材１２の係合部１２ｃはロック受９に係合したままであり、シャッターを開けることはできない。
【００３３】
本発明のように、ロック受９をシャッター下枠３の中間部（好ましくは下枠の端からシャッター幅の４分の１以上中央寄りの領域）に設けることにより、シャッター持ち上げ時における次段スラット６の持ち上げ部分と施錠位置との間のクリアランスの差が小さくまたは無くなり、クリアランスの変化量を係合部材１２の変位量に有効に利用でき、施錠、解錠が確実に行える。また、エンドスラット５に対する次段スラット６のクリアランスを係合部材１２に伝達するに当たり、リンク部材１３の上下動を係合部材１２の枢着ピン１７を中心とする回動に変換して施錠、解錠が行えるようにしているので、リンク部材１３と係合部材１２とを連結するピン２０と枢着ピン１７との距離の選定により、クリアランスの変化に対する係合部材１２の回動量を大きくとることができる。これらのことから、施錠、解錠が確実に行えることとなる。
【００３４】
しかしながら、エンドスラット５と次段スラット６との間にドライバ等を差し込んで持ち上げる等の方法で持ち上げると、エンドスラット５と次段スラット６との間のクリアランスが増大するので、リンク部材１３が次段スラット６により持ち上げられ、係合部材１２が引張ばね１５の力に抗して回動して係合部１２ｃがロック受９から外れるので、シャッターを開くことができる。
【００３５】
しかし、図５（Ａ）に示すように、レバー１４のつまみ１４ｄを持って二点鎖線の位置から矢印２５に示すように実線の位置まで回動させると、レバー１４の凹状の係合部１４ｂが係合部材１２の先端に係合する。このため、係合部材１２が解錠方向に回動しようとしても回動させることができず、本施錠がなされ外側から開くことはできず、防犯性が向上する。シャッターを開くためには、レバー１４を図５（Ａ）の二点鎖線に示す非施錠位置に戻す必要がある。
【００３６】
なおこのシャッターは、レバー１４を非施錠位置にしておけば、停電時には室内側から次段スラット６の把持部６ｂを持って持ち上げると、次段スラット６とエンドスラット５とのクリアランスが増大して係合部材１２を解錠位置に待避させることができるので、シャッターを開けることができる。また非停電時に電動機をシャッター開方向にスイッチ操作により作動させると、次段スラット６がエンドスラット５に対して引き上げられて自動的に係合部材１２を解錠してシャッターを開くことができる。
【００３７】
本発明を実施する場合、リンク部材１３は、次段スラット６に固定して取付けてもよいが、本実施の形態のように、リンク部材１３の曲成された係止部１３ｃにより、該係止部１３ｃと次段スラット６との当接部（底板部の上面６ｄ）が室内側から見えない構造とすれば、当接部の傷がみえず、外観を維持することができる。また、リンク部材１３が左右自在となるため、ロック本体１８を次段スラット６に沿って位置調整自在に取付ける構造が実現できる。
【００３８】
また、前記リンク部材１３は、前記エンドスラット６の見付け面と前記次段スラット６の見付け面とのなす角の変化に追従して室内外方向に傾動することが可能であるから、リンク部材１３が次段スラット６の底面に当接することとあいまって、リンク部材１３やその取付け部に過大な力が作用することが防止される。また、エンドスラット５と次段スラット６との見付け面のなす角度の変化によってエンドスラット５と次段スラット６との連結部のクリアランスも少し変化するが、リンク部材１３のピン２０による係合部材１２に対する接続部分にもクリアランスがあるため、前記角が変化しただけではロック受９と係合部材１２との係合は解除されず、防犯性が向上する。
【００３９】
本発明を実施する場合、エンドスラット、次段スラット、ガイドレール、ロック本体、リンク部材、係合部材、ロック受、係合部材の係合状態保持手段等の具体的な構成は上記例に限らず種々に変更することができる。
【００４０】
【発明の効果】
請求項１によれば、エンドスラットと該エンドスラットの上の次段スラットとを、シャッターの全閉時には吊下状態より両者間のクリアランスが小さくまたは無くなるように相対的に上下動自在に結合し、前記エンドスラットにロック装置を設けると共に、シャッター下枠にロック受を設け、前記ロック装置は、エンドスラットに取付けられるロック本体と、前記エンドスラットと次段スラットとのクリアランスに連動してエンドスラットに対して相対的に上下動されるリンク部材と、前記ロック本体に回動自在に取付けられ、かつ前記リンク部材に連係される係合部材とからなり、前記ロック本体と前記係合部材との間に、該係合部材を前記ロック受に係合する方向に付勢するばねを設け、前記リンク部材はその下部を前記係合部材に回動自在に結合し、上部の係止部を前記次段スラットに摺動自在に係止させ、シャッターが閉じることにより、次段スラットがエンドスラットに対して相対的に下方に移動し、この次段スラットの下方への移動により、前記ばねの力で前記係合部材が回動すると同時に、該係合部材に結合されている前記リンク部材がエンドスラットに対して下方に動き、前記係合部材が前記ロック受に係合され、シャッター全閉状態から次段スラットがエンドスラットに対して相対的に上方に移動することにより、前記次段スラットに係止されているリンク部材が上方に動いて前記係合部材が前記と反対方向に回動して該係合部材と前記ロック受との係合が解除されるようにしたので、シャッター持ち上げ時における次段スラットの持ち上げ部分と施錠位置との間のクリアランスの差が小さくまたは無くなり、クリアランスの変化量を係合部材の変位量に有効に利用できる。このため、施錠、解錠が確実に行える。
【００４１】
請求項２によれば、請求項１において、前記ロック本体は、前記エンドスラットに左右方向に取付け位置調整自在であり、前記リンク部材は次段スラットの左右方向に摺動自在に係合するようにしたので、ロック受に対してロック装置を最適位置に取付けることができる。
【００４２】
請求項３によれば、請求項１または２において、前記リンク部材は、前記次段スラットの立上片に被せられる曲成された係止部を持ち、該係止部の先端が次段スラットの底板部の上面に当接するようにしたので、曲成された係止部により、該係止部と次段スラットとの当接部が室内側から見えないため、当接部の傷がみえず、外観を良好にすることができる。
【００４３】
請求項４によれば、請求項１から３までのいずれかにおいて、前記リンク部材は、前記エンドスラットの見付け面と前記次段スラットの見付け面とのなす角の変化に応じて係合部材に対して室内外方向に首振り可能としたので、エンドスラットの見付け面と次段スラットの見付け面とでなす角度が変化してもリンク部材はこの角度の変化に追従できる。
【００４４】
請求項５によれば、請求項１から４までのいずれかにおいて、前記ロック装置に、前記係合部材を直接または間接に固定することにより該係合部材の前記ロック受に対する係合状態を保持する手段を備えたので、次段スラットがエンドスラットに対して相対的に上方に移動しようとしても、係合部材が固定されてロック受との係合状態を保持するので、防犯性がよい。
【図面の簡単な説明】
【図１】本発明によるロック装置を備えたシャッターの一実施の形態を室外側から見た図である。
【図２】本実施の形態のエンドスラットと次段スラットとの組み合わせ構造を示す側面図である。
【図３】（Ａ）は本実施の形態のロック装置を示す側面図、（Ｂ）はその係合部材操作用リンク部材の取付け構造を示す側面図である。
【図４】（Ａ）は本実施の形態のロック装置を解錠状態で室内側から見た図、（Ｂ）はその底面図である。
【図５】（Ａ）は本実施の形態のロック装置を施錠状態で室内側から見た図、（Ｂ）はその側面図である。
【図６】（Ａ）、（Ｂ）はそれぞれ本実施の形態のベース、サブベースを室内側から見た図である。
【図７】（Ａ）、（Ｂ）、（Ｃ）はそれぞれ本実施の形態のリンク部材、係合部材、レバーをそれぞれ室内側から見た図である。
【符号の説明】
１：ケース、２：ガイドレール、３：シャッター下枠、４：スラット、５：エンドスラット、６：次段スラット、７：ロック装置、９：ロック受、１０：ベース、１１：サブベース、１２：係合部材、１３：リンク部材、１３ｃ：係止部、１４：レバー、１８：ロック本体
【図１】
0003583653.tif 000002
【図２】
0003583653.tif 000003
【図３】
0003583653.tif 000004
【図４】
0003583653.tif 000005
【図５】
0003583653.tif 000006
【図６】
0003583653.tif 000007
【図７】
0003583653.tif 000008